(57)【特許請求の範囲】
【請求項１】
漏電によるしゃ断器のトリップ動作と連動して表示ボタンをしゃ断器ケースから突出するようにした漏電しゃ断器の漏電表示機構であり、該表示機構が先端をしゃ断器ケースの前面に開口したボタン穴へ臨ませて出没自在に組み込んだ表示ボタンと、該表示ボタンを突出方向に押圧する付勢ばねと、揺動レバー式ラッチとからなり、常時はラッチ爪を表示ボタンの係合段部に押しつけて表示ボタンを後退位置に拘束保持し、漏電発生を検知して作動するトリップコイルの動作によりラッチ爪の係合を外して表示ボタンを釈放するようにしたものにおいて、前記ラッチ爪と表示ボタンの係合段部との当接面をテーパ角を付して傾斜させ、該テーパ角付きの当接面でラッチ爪と表示ボタンの係合段部を係合させるとともに、ラッチ爪と掛り合う表示ボタンの係合段部に対して、揺動レバー式ラッチの支軸をラッチ爪と反対側に配置し、かつ前記ラッチ爪と該ラッチ爪と掛り合う表示ボタンの係合段部との当接面を、ラッチの支軸を中心とした回転半径の円弧に近似した円弧面に形成したことを特徴とする漏電しゃ断器の漏電表示機構。
【請求項２】
請求項１記載の漏電表示機構において、表示ボタンの側方に並置したトリップコイルを基準に、ラッチの支軸を表示ボタンの下方側に配置し、そのレバーをラッチ爪よりさらに上方に延長してトリップコイルの動作端に対向させたことを特徴とする漏電しゃ断器の漏電表示機構。
【発明の詳細な説明】
【０００１】
【発明の属する技術分野】
本発明は、漏電しゃ断器に組み込んだ漏電表示機構に関する。
【０００２】
【従来の技術】
漏電しゃ断器には、一般に漏電発生を検知して主回路接点を開放するトリップ動作に連動して、表示ボタンの先端をしゃ断器ケースから突出すようにした漏電しゃ断器の漏電表示機構を装備しており、その従来構成を図３，図４に示す。
まず、図３は漏電しゃ断器の外観図であり、１はしゃ断器ケース、２は操作ハンドル、３は漏電表示用の表示ボタン、４は銘板であり、該表示ボタン３はその先端がケース１の前面に開口したボタン穴１ａに出没するようにケース内に組み込まれている。この表示ボタン３は、常時はケース１の中に引っ込んでおり、漏電によりしゃ断器がトリップ動作すると、これに連動して表示ボタン３の先端がケース１の前面に突出すように動作する。
【０００３】
次に、従来における漏電表示機構の構造，および該機構に組み込まれたラッチの釈放動作を図４（ａ),（ｂ）で説明する。図４（ａ）において、漏電表示機構は表示ボタン３と、該表示ボタン３を後退位置に拘束保持するラッチ５とをユニット化した組立体としてなり、漏電発生時に作動するしゃ断器引き外し用のトリップコイル（磁気保持形トリップコイル）６と並べてその側方に配置されている。なお、磁気保持形トリップコイル６の構成，動作は周知であり、常時はアーマチュア（可動鉄心）６ａをコイルに内蔵した永久磁石の磁力で後退位置に保持しておき、地絡（漏電）発生をしゃ断器内に組み込んだ零相変流器が検知すると、その出力信号でトリップコイル６が通電してその発生磁界により前記永久磁石の磁力を相殺し、アーマチュア６ａを付勢ばね６ｂのばね力で矢印Ｉ方向に突き出し付勢してしゃ断器を引き外し動作させる。
【０００４】
ここで、前記の表示ボタン３はボタン基部３ａと、その先端に設けてケース１のボタン穴１ａに臨ませた表示キャップ３ｂと、ボタン基部３ａから下方に引出したリセットレバー３ｃ（図示されてないがリセットレバー３ｃはしゃ断器の開閉機構と連係しており、図３に示したハンドル２をＯＮ位置にリセット操作すると、その動きに連動して表示ボタン３を後退（リセット）位置に引き戻す役目を果たす）からなり、表示ボタン３は付勢ばね（圧縮ばね）７のばね力で表示キャップ３ｂがケース１のボタン穴１ａから突き出す方向にばね付勢されている。
【０００５】
また、ラッチ５は、支軸５ａに軸支されたレバー５ｂの先端に、表示ボタン３の基部３ａに形成した係合段部３ｄの上面に掛り合うラッチ爪５ｃを設けた揺動レバー式ラッチとしてなり、図示のように支軸５ａが上，ラッチ爪５ｃが下となるような向きで表示ボタン３の係合段部３ｄの上方に配置し、かつレバー５ｂをトリップコイル６の動作端に対向させて表示ボタン３とトリップコイル６との間に組み込まれている。なお、図示されてないがラッチ５にはラッチ爪５ｃを係止位置に向けて付勢する復帰ばねを備えている。
【０００６】
かかる構成で、常時は図示のようにラッチ５のラッチ爪５ｃが表示ボタン３の係合段部３ｄを押し下げており、表示ボタン３は付勢ばね７に抗して表示キャップ３ｂがケース１から引っ込んだ待機位置に係止保持されている。ここで、主回路の地絡発生を検知してトリップコイル６が作動すると、そのアーマチュアが矢印Ｉの方向に動作するとともに、これに連動してラッチ５のレバー５ｂが支軸５ａを中心に矢印IIの方向へ揺動する。これにより、ラッチ爪５ｃが表示ボタン３の係合段部３ｄから外れて釈放状態になるとともに、表示ボタン３は付勢ばね７のばね力を受けて矢印III 方向に駆動され、表示キャップ３ｂがケース１の前面に突き出して漏電を表示する。また、しゃ断後に操作ハンドル（図３参照）をリセット位置に操作すれば、これに連動して表示ボタン３がリセットレバー３ｃを介して後退位置に引き下げられるとともに、同時にラッチ５が元の位置に復帰して図示の待機状態に戻る。
【０００７】
一方、前記したラッチ５の爪５ｃと表示ボタン３の係合段部３ｄとの掛り合いがしゃ断器に加わる振動，衝撃などにより簡単に外れて表示ボタン３が突き出すことを防止するために、図４（ｂ）で示すようにラッチ爪５ｃと係合段部３ｄとの間の接触面に若干のテーパ角αを付してラッチ爪５ｃと係合段部３ｄとの間に噛み合い代Ｌを設定するようにしている。
【０００８】
【発明が解決しようとする課題】
ところで、前記の構造になる従来の漏電表示機構では、動作，および組立スペースの面で次記のような問題点がある。すなわち、
１）図４（ｂ）で述べたように、ラッチ５の爪５ｃと表示ボタン３の係合段部３ｄとの間の当接面に噛み合い代Ｌを設定した構造を採用し、一方ではラッチ５のレバー５ｂを図４（ａ）のようにラッチ爪５ｃの上方側で支軸５ａに軸支した従来の構成では、ラッチ５を係止位置から矢印II方向に揺動操作して表示ボタン３を釈放する際には、ラッチ爪５ｃの先端がレバーの支軸５ａを中心とした移動軌跡Ａに沿って移動することから、付勢ばね７（図４（ａ）参照）のばね力に逆らって表示ボタン３を前記の噛み合い代Ｌに相当する距離だけ押し下げる必要がある。そのために、表示ボタン３の一連の釈放動作がスムーズでなくなり、その対応策としてトリップコイル６に大きな駆動力が要求されるなど、設計面での不都合を来す。
【０００９】
２）図４（ａ）の従来構造では、レバー式ラッチ５が表示ボタン３とトリップコイル６との間に介装して揺動できるように組み込まれているために、漏電表示機構をユニット化して組立てる場合に、該ユニットが大形になってしゃ断器ケース内の占有スペースが増す。
本発明は上記の点にかんがみなされたものであり、その目的は前記課題を解決して表示ボタンの釈放動作がスムーズに行え、しかも機構の小形化が図れるよう改良した漏電しゃ断器の漏電表示機構を提供することにある。
【００１０】
【課題を解決するための手段】
上記目的を達成するために、本発明によれば、先端をしゃ断器ケースの前面に開口したボタン穴へ臨ませて出没自在に組み込んだ表示ボタンと、該表示ボタンを突出方向に押圧する付勢ばねと、揺動レバー式ラッチとからなり、常時はラッチ爪を表示ボタンの係合段部に押しつけて表示ボタンを後退位置に拘束保持し、漏電発生を検知して作動するトリップコイルの動作によりラッチ爪の係合を外して表示ボタンを釈放するようにした漏電表示機構において、前記ラッチ爪と表示ボタンの係合段部との当接面をテーパ角を付して傾斜させ、該テーパ角付きの当接面でラッチ爪と表示ボタンの係合段部を係合させるとともに、ラッチ爪と掛り合う表示ボタンの係合段部に対して、揺動レバー式ラッチの支軸をラッチ爪と反対側に配置し、かつ前記ラッチ爪と該ラッチ爪と掛り合う表示ボタンの係合段部との当接面を、ラッチの支軸を中心とした回転半径の円弧に近似した円弧面に形成するものとする。
【００１１】
また、前記構成においては、表示ボタンの側方に並置したトリップコイルを基準に、ラッチの支軸を表示ボタンの下方側に配置し、そのレバーをラッチ爪よりさらに上方に延長してトリップコイルの動作端に対向させるよう構成することができる。
【００１２】
上記の構成によれば、レバー式ラッチの揺動支点となる支軸が表示ボタンの係合段部を挟んでラッチ爪と反対側、つまり上向きにばね付勢された表示ボタンに対してラッチはボタンの下側に位置する支軸に支えられてラッチ爪が係合段部の上面に掛り合い、この状態で表示ボタンを後退位置に拘束保持している。したがって、図４（ｂ）で述べたように、ラッチ爪と係合段部との間の当接面にテーパ角αを付して噛み合い代Ｌを設定した構造に対し、支軸を中心とするラッチ爪の移動軌跡が前記したテーパ角付きの当接面と近似的に一致することになる。これにより、表示ボタンの釈放動作の過程では前記の噛み合い代Ｌに殆ど邪魔されることなく、したがって表示ボタンを付勢ばねに逆らって大きく押し下げることなく釈放動作がスムーズに行える。
【００１３】
また、前記構成では、ラッチの支軸を表示ボタンの下側に移したことで、その分だけ表示ボタンとその側方に並ぶトリップコイルとを接近して配置することができ、これにより漏電表示機構がコンパクトな構成になる。
【００１４】
【発明の実施の形態】
以下、本発明の実施例を図面に基づいて説明する。なお、実施例の図中で図４に対応する同一部材には同じ符号が付してある。
まず、図１（ａ),（ｂ）において、表示ボタン３に対して揺動レバー式ラッチ５は、次記のように配置されている。すなわち、ラッチ５の支軸５ａは表示ボタン３の係合段部３ｄを挟んでその上面側に掛り合うラッチ爪５ｃと反対側で、表示ボタン３から下方に引出したリセットレバー３ｃと同じ側に設置されており、かつラッチ５のレバー５ｂはラッチ爪５ｃからさらに上方に延長してトリップコイル６の動作端に対向させている。つまり、図４（ａ）に示した従来の組立構造と較べてラッチ５の支軸５ａが反対側に位置しており、ラッチ爪５ｃは表示ボタン３の下側に配置した支軸５ａを支点に揺動し、図４と同様にトリップコイル６の動作に連動して表示ボタン３を釈放させて漏電表示を行う。
【００１５】
次に、前記構成によるラッチ５の釈放動作を図１（ｂ）で詳しく説明すると、前記のように表示ボタン３の下側に位置した支軸５ａを支点に揺動するラッチ爪５ｃの先端は移動軌跡Ｂに沿って移動する。したがって、表示ボタン３の係合段部３ｄに対して、その上面側に図４（ｂ）と同様にラッチ爪５ｃとの間の当接面にテーパ角αを付して噛み合い代Ｌを設定した場合に、その当接面と前記の移動軌跡Ｂとが近似的に一致するようになる。したがって、トリップコイル６の動作でラッチ５の爪５ｃと表示ボタン３の係合段部３ｄとの掛け合いを釈放する際には、表示ボタン３を付勢ばね７に逆らって噛み合い代Ｌに相当する距離だけ大きく押し下げる必要はなく、噛み合い代Ｌを殆ど無視して僅かな距離ΔＬだけ押し下げるだけで表示ボタン３の釈放動作がスムーズに行える。
【００１６】
また、図４の組立構造と較べても、表示ボタン３とその側方に並置したトリップコイル６との間にはラッチ５の支軸５ａが無く、したがってその分だけトリップコイル６を表示ボタン３に近づけてコンパクトに構成できる。このことは漏電表示機構をユニット化してしゃ断器ケース１に組み込む場合に省スペース化が図れて有利である。
【００１７】
次に、図２に応用実施例を示す。すなわち、図２においては、ラッチ爪５ｃの端面と、これに係合し合う表示ボタンの係合段部３ｄの上面とが、ラッチの支軸５ａを中心とした回転半径Ｒの円弧Ｃと近似した円弧面に形成されている。これにより、図１のようにテーパ角αを与えた場合と同等な噛み合いを確保しつつ、表示ボタン３の釈放動作がより一層スムーズに行える。
【００１８】
なお、この場合にラッチ５の前記回転半径Ｒを小さく選定すれば、前記のテーパ角αに相応したラッチ５と表示ボタン３との間の噛み合い角度を深めて不測にラッチが外れるのを防止する効果を高めつつ、ラッチ５のレバー５ｂも短小となって漏電表示機構を小形化できる。
【００１９】
【発明の効果】
本発明は以上説明したように構成されているので、次記の効果を奏する。
１）漏電発生時に作動するトリップコイルの動作に連動して表示ボタンを釈放して漏電表示を行う際に、揺動レバー式ラッチの動きが従来の漏電表示機構と較べてスムーズとなり、これにより一連の漏電表示動作が安定して信頼性が向上する。
【００２０】
２）また、従来の組立構造と較べて漏電表示機構が小形，コンパクトな構成となり、表示ボタンをトリップコイルに近接させることができてしゃ断器ケース内の省スペース化が図れる。
【図面の簡単な説明】
【図１】本発明実施例の構成図であり、（ａ）は漏電表示機構全体の組立構成図、（ｂ）は（ａ）図における表示ボタンの係合段部，およびラッチ爪を模式的に表したラッチ釈放動作の説明図。
【図２】本発明の応用実施例の要部構造を模式的に表したラッチ釈放動作の説明図。
【図３】漏電表示機構を備えた漏電しゃ断器の外観図。
【図４】従来における漏電表示機構の構成図であり、（ａ）は漏電表示機構全体の組立構成図、（ｂ）は（ａ）図における表示ボタンの係合段部，およびラッチ爪を模式的に表したラッチ釈放動作の説明図。
【符号の説明】
１    しゃ断器ケース
１ａ  ボタン穴
３    漏電表示機構の表示ボタン
３ａ  ボタン基部
３ｂ  表示キャップ
３ｃ  リセットレバー
３ｄ  係止段部
５    ラッチ
５ａ  支軸
５ｂ  レバー
５ｃ  ラッチ爪
６    トリップコイル
７    付勢ばね
【図１】
0003757441.tif 000002
【図２】
0003757441.tif 000003
【図３】
0003757441.tif 000004
【図４】
0003757441.tif 000005